(57)【要約】  画像データの獲得方法は、口腔内特徴に対して、３次元における光干渉断層法（ＯＣＴ）データを取得するステップであって、少なくとも１つの次元が疑似ランダムまたはランダムにサンプリングされる、ステップと、圧縮センシングを使用して口腔内特徴の画像ボリュームを再構築するステップであって、再構築された画像ボリュームのデータ密度は、その少なくとも１つの次元における、または対応する変換による、取得されたＯＣＴデータのデータ密度よりも大きい、ステップとを行う。この方法は、表示のための再構築された画像ボリュームをレンダリングする。
2019518936.tif 000002
【特許請求の範囲】
【請求項１】
口腔内特徴に対して、３次元における光干渉断層法（ＯＣＴ）データを取得するステップであって、少なくとも１つの次元が疑似ランダムまたはランダムにサンプリングされるステップと、
圧縮センシングを使用して前記口腔内特徴の画像ボリュームを再構築するステップであって、前記再構築された画像ボリュームのデータ密度が、前記少なくとも１つの次元における、または対応する変換による、前記取得されたＯＣＴデータのデータ密度よりも大きい、ステップと、
表示のために前記再構築された画像ボリュームをレンダリングするステップと
を含むことを特徴とする画像データを獲得する方法。
【請求項２】
請求項１に記載の方法であって、前記口腔内特徴が歯を含むことを特徴とする方法。
【請求項３】
請求項１に記載の方法であって、圧縮センシングを使用することが、前記少なくとも１つの次元において、前記取得されたＯＣＴデータに対する最小化演算を実施することを含むことを特徴とする方法。
【請求項４】
請求項１に記載の方法であって、ＯＣＴ再構築を実施することをさらに含むことを特徴とする方法。
【請求項５】
請求項１に記載の方法であって、３次元においてデータを取得することが、２つの空間次元と、周波数または波長の次元とにおいて、強度データを取得することを含むことを特徴とする方法。
【請求項６】
請求項１に記載の方法であって、前記再構築された画像ボリュームをセグメント化すること、および前記再構築されたボリュームの２次元画像をレンダリングすることをさらに含むことを特徴とする方法。
【請求項７】
口腔内ボリューム画像データを獲得する方法であって、
サンプルの表面を横切る、いくつかの行の各々の行に沿って、複数の光学干渉断層法（ＯＣＴ）スキャンを取得するステップであって、前記ＯＣＴスキャン間の距離が前記行に沿ってランダムに、または疑似ランダムに変化する、ステップと、
圧縮センシングを使用して前記口腔内ボリュームを再構築するステップであって、前記再構築された画像ボリュームのデータ密度が、前記行に沿った前記取得されたＯＣＴスキャンのデータ密度よりも大きい、ステップと、
表示のために前記再構築された画像ボリュームをレンダリングするステップと
を含むことを特徴とする方法。
【請求項８】
請求項７に記載の方法であって、前記再構築された画像ボリュームをセグメント化することをさらに含むことを特徴とする方法。
【請求項９】
請求項７に記載の方法であって、２次元画像をレンダリングすることをさらに含むことを特徴とする方法。
【請求項１０】
請求項７に記載の方法であって、圧縮センシングを使用することが、前記行に沿った前記取得されたＯＣＴスキャンに対する最小化演算を実施することを含むことを特徴とする方法。
【請求項１１】
請求項７に記載の方法であって、前記取得されたＯＣＴスキャンのそれぞれに対してＯＣＴ再構築を実施することをさらに含むことを特徴とする方法。
【請求項１２】
請求項７に記載の方法であって、前記サンプルが歯であることを特徴とする方法。
【請求項１３】
請求項７に記載の方法であって、行間の間隔も前記表面を横切ってランダムまたは疑似ランダムに変化し、前記再構築された画像ボリュームの行数も、前記取得されたＯＣＴスキャンの行数よりも大きいことを特徴とする方法。
【請求項１４】
サンプルの表面の各々の行を、
前記行に沿った、いくつかのスキャン位置のそれぞれにおいて、複数の光周波数または光波長の組からなるＯＣＴスキャンを取得することであって、前記光周波数または光波長がランダムまたは疑似ランダムに間隔を空けられる、取得することと、
圧縮センシングを使用して、それぞれの取得されたＯＣＴスキャンを処理することであって、前記処理されたＯＣＴスキャンのデータ密度が、前記取得されたＯＣＴスキャンのデータ密度よりも大きい、処理することと、
前記処理されたＯＣＴスキャンを組み合わせて、口腔内ボリュームを生成することと、
表示のために前記生成された口腔内ボリュームをレンダリングすることと
によって走査するステップ
を含むことを特徴とする口腔内ボリューム画像データを獲得する方法。
【請求項１５】
請求項１４に記載の方法であって、前記ランダム化または疑似ランダム化された周波数または波長の組が、分光計を使用して選択されることを特徴とする方法。
【請求項１６】
請求項１４に記載の方法であって、前記ランダム化または疑似ランダム化された周波数または波長の組が周波数掃引光源から生成されることを特徴とする方法。
【請求項１７】
請求項１４に記載の方法であって、圧縮センシングを使用することが、それぞれの取得されたＯＣＴスキャンに対する最小化演算を実施することを含むことを特徴とする方法。
【請求項１８】
請求項１４に記載の方法であって、前記取得されたＯＣＴスキャン間の距離も前記行に沿ってランダムまたは疑似ランダムに変化し、前記方法が、
圧縮センシングを使用して前記生成された口腔内ボリュームを処理して、前記口腔内ボリュームを再構築することをさらに含み、前記再構築された口腔内ボリュームのデータ密度が、前記行に沿った前記取得されたＯＣＴスキャンのデータ密度よりも大きいことを特徴とする方法。
【請求項１９】
請求項１８に記載の方法であって、行間の間隔も前記サンプル表面に沿ってランダムまたは疑似ランダムに変化し、前記再構築された口腔内ボリュームの行数も、前記取得されたＯＣＴスキャンの行数よりも大きいことを特徴とする方法。
【請求項２０】
歯からボリューム画像データを獲得する装置であって、
ａ）コヒーレンス長の短い光を生成する広帯域照明源と、
ｂ）前記広帯域照明源から、前記歯に沿って、いくつかの点のそれぞれに向かって光を導くスキャナと、
ｃ）前記スキャナから戻った光と前記照明源からの参照光とを結合する干渉計と、
ｄ）前記干渉計からの前記結合光を検知するように作動可能なセンサと、
ｅ）前記歯の表面に沿ったランダムまたは疑似ランダムにサンプリングされたデータを獲得するようにスキャナ、照明源、およびセンサを制御し、前記歯の前記ボリューム画像を再構築するための圧縮センシングシーケンスを実行するプロセッサであって、前記再構築されたボリューム画像のデータ密度が、前記獲得されたデータのデータ密度より大きい、プロセッサと
ｆ）前記再構築されたボリューム画像の表示のためにプロセッサと信号通信しているディスプレイと
を備えることを特徴とする装置。
【請求項２１】
請求項２０に記載の装置であって、前記広帯域照明源がスーパールミネセントダイオードであることを特徴とする装置。
【請求項２２】
請求項２０に記載の装置であって、前記広帯域照明源が、空間光変調器を備えることを特徴とする装置。
【請求項２３】
請求項２０に記載の装置であって、前記センサが分光計を備えることを特徴とする装置。
【請求項２４】
請求項２０に記載の装置であって、前記圧縮センシングシーケンスが、最小化演算を含むことを特徴とする装置。
【請求項２５】
請求項２０に記載の装置であって、前記ランダムまたは疑似ランダムにサンプリングされたデータが、空間ドメインまたはスペクトルドメインにおいて獲得されることを特徴とする装置。
【請求項２６】
請求項２０に記載の装置であって、前記再構築されたボリューム画像が、セグメント化の後に表示されることを特徴とする装置。
【請求項２７】
請求項２０に記載の装置であって、前記再構築されたボリューム画像が、レンダリングの後に表示されることを特徴とする装置。
【請求項２８】
口腔内ボリューム画像データを獲得する方法であって、
サンプルの表面を横切る、いくつかの行の各々の行に沿って、複数の測定された光学干渉断層法（ＯＣＴ）スキャンを取得するステップであって、前記スキャン間に所定の間隔があり、それぞれの測定されたスキャンが、前記スキャン内の対応する深さにおける入射光へのサンプル応答を示す複数の値を与える、ステップと、
測定されたスキャン間の領域に対する追加の演算された値で前記測定されたスキャンデータを補うように補間を適用するステップと、
前記測定されたＯＣＴスキャンと、補間からの追加の演算された値との両方に従って、前記口腔ボリューム画像を生成するステップと
を含むことを特徴とする方法。
【請求項２９】
請求項２８に記載の方法であって、前記補間がバイリニア補間であることを特徴とする方法。
【請求項３０】
請求項２８に記載の方法であって、前記補間がトリリニア補間であることを特徴とする方法。
【請求項３１】
請求項２８に記載の方法であって、前記サンプルが歯であることを特徴とする方法。
【発明の詳細な説明】
【技術分野】
【０００１】
本開示は、一般的に、光干渉断層法（optical coherence tomography (OCT)）イメージングのための方法および装置に関し、より詳細には、圧縮センシングを使用するＯＣＴのための方法および装置に関する。
【背景技術】
【０００２】
光干渉断層法（ＯＣＴ）は、サンプルの深さ構造を特徴づける高解像度の断面断層画像を取得するのに干渉法原理を用いる非侵襲性のイメージング技法である。特に人の組織の生体内（in vivo）イメージングに適しているＯＣＴは、生物医学的研究や、眼科、皮膚科、腫瘍学、その他の分野におけるような医用イメージング応用、それに加えて耳鼻咽喉（ＥＮＴ）イメージングおよび歯科イメージングにおいて有用であることが示されている。
【０００３】
ＯＣＴは、断面データを取得するために、生きた組織内部からの反射エネルギーをイメージングする、ある種の「光学的な超音波」として説明されてきた。ＯＣＴイメージングシステムにおいては、スーパールミネセントダイオード（ＳＬＤ）またはその他の光源などの広帯域幅源からの光が、２つの異なる光経路：既知の長さの参照アームと、組織または調査中のその他の被験体を照明するサンプルアームに沿って導かれる。参照アームおよびサンプルアームから反射され、後方散乱された光が、次いで、ＯＣＴ装置において再結合され、サンプルの表面および近表面の基本構造の特徴を特定するのに干渉効果が用いられる。干渉データは、サンプルを横断してサンプル照明を迅速に走査することによって獲得することができる。数千個の点の各々において、ＯＣＴ装置は、干渉プロフィールを取得し、この干渉プロフィールは、光源コヒーレンスの係数である材料への軸方向深さを有するＡ−スキャンを再構築するのに使用することができる。ほとんどの組織イメージング応用用途に対して、ＯＣＴは、広帯域照明源を使用し、数ミリメートル（ｍｍ）の深さの画像コンテンツを提供することができる。
【０００４】
初期のＯＣＴ装置は、深さ走査が、例えば、圧電アクチュエータのような、何らかのタイプの機械式機構を使用する、参照アームの長さを迅速に変化させることによって達成される、時間ドメイン（ＴＤ−ＯＣＴ）アーキテクチャを用いた。ＴＤ−ＯＣＴ方法は、ポイントバイポイント走査を使用し、イメージングセッション中に、照明プローブを、１つの点から次の点まで移動または走査させることが必要となる。より最近のＯＣＴ装置は、それらが生成する信号の光周波数に応じて異なる深さからの反射を区別する、フーリエドメインアーキテクチャ（ＦＤ−ＯＣＴ）を使用することができる。ＦＤ−ＯＣＴ方法は、多数の深さから同時に情報を集めることによって軸方向の走査の必要性を簡略化するか、または不要にして、獲得速度と信号対ノイズ比（ＳＮＲ）の向上をもたらす。
【０００５】
より低コストでより高い性能を達成するそれらの潜在能力故に、掃引周波数レーザー源に基づくＦＤ−ＯＣＴシステムは、高度に散乱性の組織における表面下イメージング（subsurface imaging）を必要とする、医用用途に対して大きな注目を集めている。フーリエドメインＯＣＴの２つの実現形態：スペクトルドメインＯＣＴ（ＳＤ−ＯＣＴ）および掃引源ＯＣＴ（ＳＳ−ＯＣＴ）がある。
【０００６】
ＳＤ−ＯＣＴイメージングは、サンプルを広帯域照明源で照明して、反射され散乱された光を分光計を用いて、例えばＣＣＤ（電荷結合素子）検出器のような、配列検出器上に分散させることによって達成することができる。ＳＳ−ＯＣＴイメージングは、高速波長同調レーザーでサンプルを照明して、単一の光検出器またはバランス型光検出器のみを使用する波長掃引中に反射された光を集める。ＳＤ−ＯＣＴとＳＳ−ＯＣＴの両方を用いて、異なる深さから反射された散乱光のプロフィールが、信号解析技術における当業者には周知の、高速フーリエ変換（ＦＦＴ）などのフーリエ変換を使用して、記録された参照信号に対して操作することによって取得される
【０００７】
ＳＳ−ＯＣＴに対する１つの課題は、必要とされる波長の系列を高速に連続して生成することのできる、好適な光源を準備することである。この必要性を満足するために、掃引源ＯＣＴシステムは、従来から、空洞内モノクロメータを備える高速波長掃引レーザーを利用するか、またはレーザー出力を同調するための、何らかのタイプの外部空洞狭帯域波長走査フィルタを使用している。この目的で使用されてきた外部デバイスの例としては、その空洞長が長手方向モードの線形の変化を与えるために調節される、同調型のファブリーペローフィルタ（Fabry-Perot filter）、および分散波長光を選択的に反射するポリゴンスキャナフィルタが挙げられる。フーリエドメインモードロックは、一般的に広帯域近赤外（ＢＮＩＲ）波長を使用するＯＣＴイメージングに最も有用である、掃引周波数を生成するのに使用されてきた、最近報告されている技法である。
【０００８】
可変調（tunable）レーザーを提供する参考文献としては以下のものが挙げられる：
Ｓ．Ｒ．チン（S. R. Chinn）、他（E. A. Swanson, J. G. Fujimoto）、"Optical coherence tomography using a frequency-tunable optical source," Opt. Lett. 22, 340-342 (1997)；
Ｂ．ゴルボビク（B. Golubovic）、他（B. E. Bouma, G. J. Tearney, and J. G. Fujimoto）、"Optical frequency-domain reflectometry using rapid wavelength tuning of a Cr4+:forsterite laser," Opt. Lett.22, 1704-1706 (1997)；
Ｓ．Ｈ．ユン（S. H. Yun）、他（C. Boudoux, G. J. Tearney, and B. E. Bouma）、"High-speed wavelength-swept semiconductor laser with a polygon-scanner-based wavelength filter," Opt. Lett.28, 1981-1983 (2003)；
ウージン  シン（Woojin Shin）、他（Boan-Ahn Yu, Yeung Lak Lee, Tae Jun Yu, Tae Joong Eom, Young-Chul Noh, Jongmin Lee, and Do-Kyeong Ko）、"Tunable Q-switched erbium-doped fiber laser based on digital micromirror array," Opt. Express 14, 5356-5364 (2006)；
シャオ  チェン（Xiao Chen）、他（Bin-bin Yan, Fei-jun Song, Yi-quan Wang, Feng Xiao, and Kamal Alameh）、"Diffraction of digital micro-mirror device gratings and its effect on properties of tunable fiber lasers," Appl. Opt. 51, 7214-7220 (2012).
【０００９】
以下のものについても参照した：
フアン（Huang, D）、他（Swanson, EA; Lin, CP; Schuman, JS; Stinson, WG; Chang, W; Hee, MR; Flotte, T ら） (1991)、"Optical coherence tomography". Science 254 (5035): 1178-81. Bibcode:1991Sci...254.1178H. doi:10.1126/science.1957169.PMID 1957169；
「Optical coherence tomography imaging」という名称のカドリング（Quadling）らによる米国特許第７３５５７２１Ｂ２号；
「Optical coherence tomography imaging」という名称のカドリング（Quadling）らによる米国特許第８３４５２６１Ｂ２号；
「Swept source optical coherence tomography (OCT) method and system」という名称の、両方ともボンネマ（Bonnema）らによる米国特許第８９２８８８８Ｂ２号および同第８３４５２５７Ｂ２号；
「Dental optical measuring device and dental optical measuring/diagnosing tool」という名称のカジ（Kaji）らによる米国特許出願第ＵＳ２０１３０３３０６８６Ａ１号；
ハンＫ．‐Ｗ．（Hung, K.-W.）；シウＷ．‐Ｃ．（Siu, W.-C.）、"Fast image interpolation using the bilateral filter," in Image Processing, IET, vol.6, no.7, pp.877-890, October 2012. doi: 10.1049/iet-ipr.2011.0050；
ドノホ（D. L. Donoho）、D. L. Donoho, “Compressed Sensing,” IEEE Trans. Inf. Theory 52(4), 1289-1306 (2006)；
キャンデス（E. Candes）、他（J. Romberg, and T. Tao）、“Robust uncertainty principles: Exact signal reconstruction from highly incomplete frequency information,” IEEE Trans. Inf. Theory 52(2), 489-509 (2006)；
フォウカート（Foucart）、他（Simon, and Holger Rauhut）、A mathematical introduction to compressive sensing. Vol. 1. No. 3. Basel: Birkhauser, 2013；
エブジェニ  レベド（Evgeniy Lebed）、他（Paul J. Mackenzie, Marinko V. Sarunic, and Faisal M. Beg）、"Rapid Volumetric OCT Image Acquisition Using Compressive Sampling," Opt. Express 18, 21003-21012 (2010)；
スアン  ル（Xuan Liu）およびジン  Ｕ  カン（Jin U. Kang）、"Compressive SD-OCT: the application of compressed sensing in spectral domain optical coherence tomography," Opt. Express 18, 22010-22019 (2010).
【００１０】
医学用および歯科用のイメージング応用に対して、その実際的な使用性と有効性に制約を加える、ＯＣＴイメージングの一観点は、データ獲得の速度に関係する。ＯＣＴ走査は、表面に沿って間隔を空けられた多数のポイントにおける表面サンプリングを必要とするので、スキャナは、サンプリング期間中に静止して保持しなくてはならない。データを取得する間の、スキャナプローブの移動は、サンプリング工程を混乱させて、表面再構築のための十分で正確なデータの獲得を防止または遅延させる可能性がある。
【００１１】
したがって、効率を向上させることができ、ＯＣＴの有用性を高めるのに役立ち得る、ＯＣＴイメージングのための改良型の走査装置および方法が求められていることがわかる。
【先行技術文献】
【特許文献】
【００１２】
【特許文献１】米国特許第７３５５７２１号明細書
【特許文献２】米国特許第８３４５２６１号明細書
【特許文献３】米国特許第８９２８８８８号明細書
【特許文献４】米国特許第８３４５２５７号明細書
【特許文献５】米国特許出願公開第２０１３／０３３０６８６号明細書
【特許文献６】米国特許出願公開第２０１３／０１５６２８３号明細書
【特許文献７】米国特許出願公開第２０１４／０３４０６３４号明細書
【特許文献８】米国特許出願公開第２０１５／０２４５７７０号明細書
【非特許文献】
【００１３】
【非特許文献１】Ｓ．Ｒ．チン（S. R. Chinn）他、「周波数可変光源を用いた光学的コヒーレンストモグラフィ（"Optical coherence tomography using a frequency-tunable optical source,"）」、オプティクス  レターズ（Opt. Lett.）、平成１２年、第２２巻、第５号、ｐ．３４０−３４２
【非特許文献２】Ｂ．ゴルボビク（B. Golubovic）他、「Ｃｒ４＋フォルステライトレーザーの高速周波数変調を用いた光学的周波数ドメイン反射率測定（"Optical frequency-domain reflectometry using rapid wavelength tuning of a Cr4+:forsterite laser”」、オプティクス  レターズ（Opt. Lett.）、平成１２年、第２２巻、第２２号、ｐ．７０４−１７０６
【非特許文献３】Ｓ．Ｈ．ユン（S. H. Yun）他、「ポリゴンスキャナベースの周波数フィルタを用いた高速周波数掃引半導体レーザ（"High-speed wavelength-swept semiconductor laser with a polygon-scanner-based wavelength filter"）」、オプティクス  レターズ（Opt. Lett.）平成１５年、第２８巻、第２０号、ｐ．１９８１−１９８３
【非特許文献４】ウージン  シン（Woojin Shin）他、「デジタルマイクロミラーアレイに基づいた可変Ｑ−スイッチ型エルビウム添加ファイバレーザー（"Tunable Q-switched erbium-doped fiber laser based on digital micro-mirror array"）」、オプティクス  エクスプレス（Opt. Express）、第１４巻、第１２号、ｐ．５３５６−５３６４
【非特許文献５】シャオ  チェン（Xiao Chen）他、「デジタルマイクロミラーデバイス格子の回折とその可変ファイバレーザー特性における効果（"Diffraction of digital micro-mirror device gratings and its effect on properties of tunable fiber lasers"）」、応用光学（Appl. Opt.）、平成２４年、第５１巻、第３０号、ｐ．７２１４−７２２０
【非特許文献６】Ｄ  フアン（Huang, D）他、「光干渉断層撮影（"Optical coherence tomography"）」、サイエンス（Science）、平成３年１１月、第２５４巻、第５０３５号、ｐ．１１７８−１１８１
【非特許文献７】ハン  Ｋ．‐Ｗ．（Hung, K.-W.）他、「画像プロセシングにおけるバイラテラルフィルタを用いた高速イメージ補間（"Fast image interpolation using the bilateral filter"）」、ＩＥＴイメージプロセシング、平成２４年１０月、第６巻、第７号、ｐ．８７７−８９０
【非特許文献８】ドノホ（D. L. Donoho）他、「（圧縮センシング“Compressed Sensing”）」、米国電気電子学会  情報理論会議（IEEE Trans. Inf. Theory）、平成１８年、第５２巻、第４号、ｐ．１２８９−１３０６
【非特許文献９】キャンデス（E. Candes）他、「ロバスト不安定性原理：高度に不完全な周波数情報からの正確な信号の再構築（“Robust uncertainty principles: Exact signal reconstruction from highly incomplete frequency information,”）」、平成１８年、米国電気電子学会  情報理論会議（IEEE Trans. Inf. Theory）第５２巻、第２号、ｐ．４８９−５０９
【非特許文献１０】フォウカート（Foucart）他、「圧縮センシングの数学的導入（“A mathematical introduction to compressive sensing”）、ビルクホイザー（Birkhauser）、平成２５年、第１巻、第３号
【非特許文献１１】エブジェニ  レベド（Evgeniy Lebed）他、「圧縮サンプリングを用いた容積測定ＯＣＴイメージの高速収集（"Rapid Volumetric OCT Image Acquisition Using Compressive Sampling"）」、オプティクス  エクスプレス（Opt. Express）、平成２２年、第１８巻、第２０号、ｐ． ２１００３−２１０１２
【非特許文献１２】スアン  ル（Xuan Liu）他、「圧縮ＳＤ−ＯＣＴ：スペクトルドメイン光干渉断層撮影における圧縮センシングの応用（"Compressive SD-OCT: the application of compressed sensing in spectral domain optical coherence tomography"」」、オプティクス  エクスプレス、平成２２年、第１８巻、第２１号、ｐ．２２０１０−２２０１９
【非特許文献１３】シーリン  フ（Zhilin Hu）他、「リニア波数分光計を伴うフーリエドメイン光干渉断層撮影（"Fourier domain Optical coherence tomography with a linear-in-wavenumber spectrometer"）」、平成１９年１２月１５日、オプティクス  レターズ（OPTICS LETTERS）、第３２巻、第２４号、ｐ．３５２５−３５２７
【非特許文献１４】バラツェフスキ（Bajraszewski）他、「光学的周波数櫛を用いて改良されたスペクトル光干渉断層撮影（"Improved spectral optical coherence tomography using optical frequency comb"）」、オプティクス  エクスプレス、平成２０年３月、第１６巻、第６号、ｐ．４１６３−４１７６
【非特許文献１５】メイ  ヤング（Mei Young）他、「圧縮サンプリング光干渉断層撮影を用いたリアルタイム高速容積イメージング（“Real-time high-speed volumetric imaging using compressive sampling optical coherence tomography”）」、バイオメディカル  オプティクス、エクスプレス、２０１１年８月２４日、第２巻、第９号、ｐ．２６９０−１４５７
【発明の概要】
【発明が解決しようとする課題】
【００１４】
本願の観点は、歯科イメージングシステムの技術を進展させることである。
【００１５】
本願の別の観点は、関連する技術における、少なくとも前述の、およびその他の欠点に、全体的または部分的に対処することである。
【００１６】
本願の別の観点は、少なくとも本明細書において記載した利点を、全体的または部分的に提供することである。
【００１７】
本開示の目的は、診断イメージングの技術を進展させること、およびＯＣＴ走査に必要な獲得時間を低減する必要性に対処することである。本発明の実施形態は、空間ドメインおよびスペクトルドメインの両方において、ＯＣＴサンプリングを改善し、圧縮センシングを活用するのを助けることのできる装置および方法を提供する。
【００１８】
これらの目的は、例証的な例としてのみ挙げたものであり、そのような目的は、本発明の１つまたは複数の実施形態の例示である。その他の望ましい目的、および開示された方法によって固有に達成される利点は、当業者であれば、思い付くか、または明白になることがある。本発明は、添付の特許請求の範囲によって定義される。
【課題を解決するための手段】
【００１９】
本開示の一観点によれば、画像データを獲得する方法であって、
口腔内特徴に対して、３次元における光干渉断層法（ＯＣＴ）データを取得するステップであって、少なくとも１つの次元が疑似ランダムまたはランダムにサンプリングされるステップと、
圧縮センシングを使用して口腔内特徴の画像ボリュームを再構築するステップであって、再構築された画像ボリュームのデータ密度が、少なくとも１つの次元における、または対応する変換による、取得されたＯＣＴデータのデータ密度よりも大きい、ステップと、
表示のために再構築された画像ボリュームをレンダリングするステップと
を含む、画像データを獲得する方法が提供される。
【００２０】
本発明の前述およびその他の目的、特徴、および利点は、添付の図面に図解されているように、本発明の実施形態についての以下に示すより具体的な説明から明白になるであろう。
【００２１】
図面の要素は、互いに対して、必ずしも正しく縮尺されているとは限らない。基本的な構造関係または動作の原理を強調するために、いくぶんかの誇張が必要となることがある。電力を提供するため、パッケージングのため、およびシステムの光学系を装着して保護するために使用される支持構成要素のような、記載された実施形態の実現に必要となる、いくつかの従来型の構成要素は、説明を簡略化するために図面に示されていない。
【図面の簡単な説明】
【００２２】
【図１】本開示の実施形態によるプログラマブルフィルタを示す模式図である。
【図２Ａ】プログラマブルフィルタが選択された波長帯の光を与える方法を示す、簡略化された模式図である。
【図２Ｂ】プログラマブルフィルタのマイクロミラー配列の部分の拡大図である。
【図３】配列内のマイクロミラーの配設を示す平面図である。
【図４】本開示の代替的実施形態による、その分散光学要素としてのプリズムを使用するプログラマブルフィルタを示す模式図である。
【図５】本開示の代替的実施形態による、波長‐波数変換を実施するプログラマブルフィルタを示す模式図である。
【図６Ａ】マッハツェンダー（Mach-Zehnder）干渉計を使用する、本開示の実施形態によるプログラマブルフィルタを使用する掃引源ＯＣＴ（ＳＳ‐ＯＣＴ：swept-source OCT）装置を示す模式図である。
【図６Ｂ】マイケルソン（Michelson）干渉計を使用する本開示の実施形態による、プログラマブルフィルタを使用する掃引源ＯＣＴを示す模式図である。
【図７】本開示の実施形態による、プログラマブルフィルタを使用する同調可能レーザーを示す模式図である。
【図８】広帯域光源からの波長帯を選択するためのプログラマブルフィルタの使用を示す模式図である。
【図９】ＯＣＴイメージングシステムプローブの一部としての２次元スキャンを行うのに使用されるガルボミラー（galvo mirror）を示す図である。
【図１０Ａ】Ｂ−スキャンを取得するための走査動作の概略的表現を示す図である。
【図１０Ｂ】Ｃ−スキャン獲得のためのＯＣＴ走査パターンを示す図である。
【図１１】口腔内ＯＣＴイメージングシステムの構成要素を示す、模式図である。
【図１２Ａ】サンプル間が等間隔であるＯＣＴサンプリングパターンを示す模式図である。
【図１２Ｂ】サンプル間が増大させた間隔であるＯＣＴサンプリングパターンを示す模式図である。
【図１２Ｃ】図１２Ｂの走査配設に使用することのできる、バイリニア補間のための式を示す図である。
【図１３】いくぶんランダム化された配設を使用するＯＣＴサンプリングパターンを示す、模式図である。
【図１４】図１３を参照して記述されたサンプリング配設を使用するような、空間的にランダム化されたデータに対してサンプリングされたボリュームの再構築のためのシーケンスを示す、論理フロー図である。
【図１５Ａ】ＯＣＴ獲得に対するまばらな（sparse）スペクトルコンテンツの使用を示す模式図である。
【図１５Ｂ】ＯＣＴ獲得に対するまばらな（sparse）スペクトルコンテンツの使用を示す模式図である。
【図１５Ｃ】スペクトル次元においてのみまばらにサンプリングされる、データに対するサンプリングされたボリュームの再構築のためのシーケンスを示す論理フロー図である。
【図１６】ランダムにサンプリングされたスペクトルスキャンコンテンツを使用する、第３の追加次元を含む、空間的にランダムにサンプリングされたデータのためのサンプリングされたボリュームの再構築のためのシーケンスを示す論理フロー図である。
【図１７】分光計を使用する圧縮サンプリング用の装置を示す模式図である。
【発明を実施するための形態】
【００２３】
以下は、例示的な実施形態の詳細な説明であり、図面を参照して、これらの図面では、同じ参照番号は、いくつかの図のそれぞれにおいて同じ構造要素を識別する。
【００２４】
本開示の文脈で使用される場合には、それらは「第１の」、「第２の」などは、いかなる順位、順序、または優先順位関係を必ずしも示すものではなく、特に指定されない限り、単に、１つのステップ、要素、または一連の要素を、互いに明確に区別するために使用される。
【００２５】
本明細書において使用されるときには、「通電可能（energizable）」という用語は、電力を受けるとき、および、任意選択でイネーブル信号を受けるときに、指示された関数を実施する、デバイスまたは一連の構成要素に関する。
【００２６】
本開示の文脈において、「光学系（optics）」という用語は、一般的には、光ビームを成形して配向させるのに使用される、レンズおよびその他の屈折性、回折性、および反射性の構成要素または装置を指している。このタイプの個々の構成要素を、光学要素（optic）と名づける。
【００２７】
本開示の文脈において、「観察者（viewer）」、「操作者（operator）」、および「使用者（user）」という用語は、観察中の医師、技師、またはカメラまたはスキャナを操作するとともに、表示モニタ上の歯科画像などの画像を観察して取り扱うこともある、その他の人と等価であると考えられ、それらを指している。「操作者命令（operator instruction）」または「観察者命令（viewer instruction）」は、カメラまたはスキャナ上のボタンをクリックすることによる、またはコンピュータマウスを使用することによる、またはタッチスクリーンもしくはキーボード入力などによるなど、観察者によって入力された明示的なコマンドから取得される。
【００２８】
本開示の文脈においては、「信号通信している（in signal communication）」という語句は、２つ以上の装置および／または構成要素が、何らかのタイプの信号経路を移動する信号を介して、互いに通信することができることを示す。信号通信は有線または無線でもよい。信号は、通信、電力、データまたはエネルギーの信号でもよい。信号経路には、第１のデバイスおよび／または構成要素と第２のデバイスおよび／または構成要素の間の、物理、電気、磁気、電磁気、光学、有線、および／または無線の通信を含めてもよい。また信号経路には、第１のデバイスおよび／または構成要素と第２のデバイスおよび／または構成要素の間に、追加のデバイスおよび／または構成要素を含めてもよい。
【００２９】
本開示の文脈においては、「カメラ」という用語は、歯や支持構造物の表面から反射される構造化された光など、反射された可視光またはＮＩＲ光（近赤外線光）からの反射、２次元デジタル画像を獲得することのできるデバイスに関する。
【００３０】
一般用語「スキャナ」は、サンプルアームを通して歯表面に導かれ、表面のＯＣＴイメージングに使用される参照アームからの光との干渉を検出するために、サンプルアーム内に戻った散乱光として獲得される、広帯域近赤外（ＢＮＩＲ）照明の走査された光ビームを投射する光学センサに関する。「ラスタースキャナ」という用語は、続いてさらに詳細に記述するように、サンプルに向かう光を走査するハードウェア構成要素の組合せに関する。
【００３１】
「被験体（subject）」という用語は、イメージングされている、患者の歯またはその他の部分を指しており、光学的用語では、対応するイメージングシステムの「対象物（object）」と等価であると考えることができる。
【００３２】
本開示の文脈において、「広帯域発光器（broadband light emitter）」という語句は、所与のいずれかの時点において、ある波長範囲にわたって連続的なスペクトル出力を出射する、照明または光源を指している。短コヒーレンスまたは低コヒーレンス広帯域照明源としては、例えば、スーパールミネセントダイオード、ショートパルスレーザー、多くのタイプの白色光源、およびスーパーコンティニューム（supercontinuum）光源が挙げられる。ほとんどのこれらのタイプの低コヒーレンス光源は、数十ミクロン以下程度のコヒーレンス長を有する。
【００３３】
ＯＣＴイメージング技術における当業者には周知のように、軸方向解像度は、光源のコヒーレンス長に関係する。すなわち、コヒーレンス長が短いほど、軸方向解像度は高くなる。
【００３４】
本開示の実施形態は、時間ドメインＯＣＴまたはスペクトルもしくは周波数ドメインＯＣＴを含む、様々なタイプのＯＣＴ走査方法の任意のものを使用することができる。速度有利性に特に関心があるので、以下の説明は、主として、掃引源ＯＣＴ、すなわち、より高速の、全体走査スループットに対して一般的に有利である、あるタイプの周波数ドメインＯＣＴ、を用いる実施形態を対象としている。しかしながら、本開示の後続のセクションにおいて記述される、圧縮サンプリング方法を、時間ドメインＯＣＴおよびその他のタイプのＯＣＴの応答を改善するため、加えてＳＳ−ＯＣＴと共に使用することができる。本開示の方法は、ＯＣＴシステムにおいて分光計がセンシング用に使用される場合にも使用することができる。
【００３５】
本開示の実施形態によれば、本明細書に記述されるような、改良型ＯＣＴ走査方法に対して有利性のある可変波長照明を提供することのできる、プログラマブル光源が提供される。プログラマブル光源は、走査ＳＳ−ＯＣＴ、および制御可能に変化可能なスペクトルパターンから便益を得るその他の応用のための、掃引源として使用可能である。
【００３６】
図１を参照すると、低コヒーレンス、広帯域光源から波長の所望のパターンと系列（λ０．．．λｎ）を生成するのに使用される、プログラマブルフィルタ１０が示されている。ファイバレーザーまたはその他の源からの広帯域光が、サーキュレータ１４を通り、光ファイバまたはその他の導波路１２を通り、コリメータレンズＬ１に導かれ、コリメータレンズＬ１は、平行化された光を回折格子のような光分散光学要素２０へ導く。光分散光学要素２０は、集束レンズＬ２に向かって導かれる、スペクトル的に分散された出力ビーム２４を形成する。レンズＬ２は、分散された光を、マイクロミラー配列３０のような、空間光変調器８０上に集束させる。マイクロミラー配列は、反射性デバイスの線形配列とするか、またはテキサス州ダラスのＴｅｘａｓ  Ｉｎｓｔｒｕｍｅｎｔｓ社製のデジタルライトプロセッサ（ＤＬＰ）の線形部分とすることができる。配列３０内の１つまたは複数の個々の反射器が、対応する波長の光を反射して、光経路を通って戻るように起動される。この反射された光は、プログラマブルフィルタ１０の出力であり、続いて記述するように、光干渉断層法（ＯＣＴ）などの応用に使用することができる。配列３０内のそれぞれの連続する反射器の迅速な起動によって、図１に与えられたもののような、スペクトル的に分散された出力ビームの多数の小さなスペクトル部分のサンプリングが可能になる。例えば、空間光変調器８０が、一行に２０４８のマイクロミラー要素を有する、マイクロミラー配列３０であり、配列３０の片側から反対側へのスペクトル範囲が３５ｎｍである場合には、それぞれの個別のマイクロミラーが、約０．０１７ｎｍ幅である波長帯域を反射することができる。１つの典型的な掃引源系列は、スペクトル的に分散した出力ビームによって形成された直線に沿って、一度に１つの空間光変調器８０ピクセル（反射性要素）を起動することによって、低波長から高波長まで進展する。続いて記述するように、その他の掃引源系列も可能である。
【００３７】
本明細書において記述されて、図１〜３および以下に示されたマイクロミラー配列３０は、プログラマブル光源の一部として使用することのできる、一種の可能な空間光変調器８０である。用いられる空間光変調器８０は、デバイスの「ピクセル」を効果的に提供する別個にアドレス指定可能な要素を備える、ある種の反射性デバイスである。
【００３８】
プログラマブルフィルタ１０は、その構成要素の全体配列とその光分布において、分光計の態様と類似している。入射広帯域ＢＮＩＲ光は、光のスペクトル成分を空間的に分離させるために、光分散光学要素２０によって分散される。マイクロミラー配列３０、または続いてさらに詳細に記述されるような、その他のタイプの空間光変調器８０は、この光の選択された１つまたは複数の波長帯を反射して、プログラマブルフィルタ１０を通って戻るように配置されており、それによって、選択された波長帯は、干渉測定デバイスでの使用またはレーザーの同調用などの、光学システムの他の場所で使用することが可能である。
【００３９】
図２Ａの簡略化された模式図および図２Ｂの拡大図は、プログラマブルフィルタ１０が、選択された波長帯Ｗ１の光を提供するのにどのように動作するかを示す。マイクロミラー配列３０の大幅に拡大された領域Ｅを模式的に示す図２Ｂは、入射光線２４に対する、３つのミラー３２ａ、３２ｂ、および３２ｃの挙動を示す。マイクロミラー配列３０のそれぞれのミラー３２要素は、２つの状態：ミラー３２ａおよび３２ｂにおいて示されるように、起動停止されて、１つの角度で傾斜している；またはミラー３２ｃにおいて示されるように、起動されて、代わりの角度で傾斜している、のいずれかを有することができる。ＤＬＰデバイスに対して、マイクロミラーの起動停止／起動状態に対する傾斜角度は、基板表面から＋１２度から−１２度である。レンズＬ２を通り、プログラマブルフィルタ１０のその他の構成要素を通り、光学軸ＯＡに沿って戻るように光を導くために、マイクロミラー配列３０は、図２Ｂで示されるように、光学軸ＯＡに対して、それ自体で＋１２度で傾斜している。
【００４０】
図１のプログラマブルフィルタ１０において、光分散光学要素２０は、例えば、ホログラフィック回折格子を含む、ある種の回折格子とすることができる。格子分散式は：
ｍλ＝ｄ（ｓｉｎα＋ｓｉｎβ）                （式１）
但し、
λは、光波長、
ｄは、格子ピッチ、
αは、光学要素２０の入射表面の垂線に対する、入射角度（図１、２Ａを参照）、
βは、光学要素２０の出射表面の垂線に対する、回折光の角度、
ｍは、本開示の実施形態に関係する、回折次数、一般的にはｍ＝１である。
【００４１】
全幅半値（ＦＷＨＭ：full-width half-maximum）帯域幅は、格子のスペクトル解像度  δλｇと、ＤＬＰデバイスのピクセルまたはマイクロミラー３２上の波長範囲  δλＤＬＰとによって決まり、これらは次式で与えられる：
δλｇ＝λｃｄｃｏｓα／Ｄ              （式２）
および
δλＤＬＰ＝ｄｐｃｏｓβ／ｆ              （式３）
但し、
Ｄは、レンズＬ１によって平行化された入射ガウシアンビームの１／ｅ２幅であり、
λｃは、中心波長、
ｄは、格子ピッチ、
ｐは、それぞれのマイクロミラーに対する、ＤＬＰピクセルピッチ、
ｆは、集束レンズＬ２の焦点長である。
【００４２】
最終ＦＷＨＭ帯域幅δλは、（δλｇ，δλＤＬＰ）の最大値である。帯域幅δλは、最も精細な同調可能な波長域を定義する。ＯＣＴイメージングに対する好適な構成に対して、以下の関係が成り立つ：
δλｇ≦δλＤＬＰ
【００４３】
ＤＬＰを使用して、導波路１２（ファイバ）に光を反射して戻すために、スペクトル的に分散されたスペクトルを、各マイクロミラー３２のヒンジ軸と整列された、ＤＬＰ表面上に集束させる。特定のマイクロミラー３２が「オン」状態にあるとき、光が光導波路１２へと直接反射して戻るように、ＤＬＰ参照平面も、１２度傾斜している。マイクロミラーが「オン」状態にあるとき、そのマイクロミラー上に入射する光のスペクトル分布に対応する帯域幅を有する、対応するスペクトルの集束部分は、反射されて、入射光と同じ経路に沿って、しかし反対方向に進んで、導波路１２ファイバへと戻る。ファイバ経路内のサーキュレータ１４は、選択されたスペクトルの光を、出力として第３のファイバへ導く。その他のタイプの空間光変調器８０は、図２Ｂの例において示されたように、入射光線に対して斜めの角度で配向する必要がないことが容易に理解されるであろう。
【００４４】
単一のＤＬＰピクセルに集束された、１／ｅ２ガウシアンビーム強度直径は、次のとおりである：
ｗ＝４λｆ／（πＤｃｏｓβ／ｃｏｓα）          （式４）
好ましくは、次の関係が成り立つ：ｗ≦ｐ。これによって、ピクセルピッチｐ未満において、ビーム直径ｗが設定される。最大可変範囲は次式で決まり：
Ｍ×δλＤＬＰ
ここで、Ｍは、図３に表されるように、水平方向でのＤＬＰマイクロミラーの数である。図３で示されるように、マイクロミラー配列３０用のマイクロミラーの配列は、Ｍ列とＮ行である。ＤＬＰマイクロミラー配列の一行だけが、プログラマブルフィルタ１０での使用のために必要であり、この単一行の上下のその他の行は、使用しても、しなくてもよい。
【００４５】
ＤＬＰピクセル（マイクロミラー）についての波長は、以下の格子式によって記述することができる：
【００４６】
【数１】
2019518936.tif 000003
ここで、ｉは、０と（Ｍ−１）の間の範囲における、特定の波長に対応する、ＤＬＰ列に対する指数である。
【００４７】
上記（式５）から、行における各ミラーに対応する中心波長を求めることができる。
【００４８】
図４は、光分散光学要素２０としてプリズム１６を備える、代替的実施形態におけるプログラマブルフィルタ１０を示す。プリズム１６は、図１に示される格子から反対順に、光波長（λ０．．．λｎ）を分散させる。より長い波長（赤）は、より高い角度で分散され、より短い波長（青）は、低い角度で分散される。
【００４９】
従来型の光分散光学系は、その構成波長が線形分布を有するように、分散光を分布させる。すなわち、波長は、分散光のラインに沿って、等間隔に離されている。しかしながら、フーリエドメインＯＣＴ処理に対しては、波長データの周波数データへの変換が必要である。したがって、波長データ（λ、単位はｎｍ）は、周波数に比例する、波数データ（ｋ＝λ−１）に変換しなくてはならない。従来慣行において、フーリエ変換計算の前に、この変換を達成するために、補間ステップが使用される。補間ステップには、処理資源と時間が必要となる。しかしながら、波数ｋ値をプログラマブルフィルタから直接的に選択できることが最も有利である。図５の模式図は、中間プリズム３４を使用する、波長（λ０．．．λＮ）データの波数（ｋ０．．．ｋＮ）データへの光学変換の一方法を示す。波長‐波数変換に対してプリズム角度と材質パラメータを指定する方法は、例えば、フとロリンス（Hu and Rollins）による論文、"Fourier domain Optical coherence tomography with a linear-in-wavenumber spectrometer" in OPTICS LETTERS, Dec. 15, 2007, vol. 32 no. 24, pp. 3525 - 3527に与えられている。
【００５０】
プログラマブルフィルタ１０は、同調レーザーを使用するＯＣＴイメージングなどの機能のために、適切にタイミング設定された系列にある、広帯域光源から選択された光波長を提供することができる。プログラマブルフィルタ１０は、プログラム可能な系列を提供するので、低波長から高波長までの前方スペクトル掃引に加えて、高波長から低波長までの反対方向での後方掃引を実施することができる。三角形掃引パターン、波長の「櫛（comb）」の生成、または任意波長パターンも提供することもできる。
【００５１】
特にＯＣＴイメージングに対して、様々なプログラム可能掃引方式が、イメージングにおいて移動物体を抽出して、深さによる感度の低下などを改善するのに有用であり得る。ＯＣＴ信号感度は、深さがｚ軸方向に延びるとすると、サンプル中への深さの増加ともに減少する。例えば、不連続波長の「櫛」を用いると、ＯＣＴ感度を増大させることができる。このことは、Ｂａｊｒａｓｚｅｗｓｋｉらの論文、Bajraszewski et al. "Improved spectral optical coherence tomography using optical frequency comb" in Optics Express, Vol. 16 No. 6, March 2008, pp. 4163-4176に記載されている。
【００５２】
図６Ａおよび６Ｂの簡略化された模式図は、本開示の実施形態によるプログラマブルフィルタ１０を使用する、掃引源ＯＣＴ（ＳＳ‐ＯＣＴ）装置１００をそれぞれ示している。それぞれの場合において、プログラマブルフィルタ１０は、照明源を提供する同調レーザー５０の一部として使用されている。例えば、口腔内ＯＣＴに対して、レーザー５０を、約４００から１６００ｎｍの間の波長に対応する周波数（波数ｋ）の範囲にわたって同調可能とすることができる。本開示の実施形態によれば、口腔内ＯＣＴに対して、約８３０ｎｍ中心の３５ｎｍの同調範囲が使用される。
【００５３】
図６Ａ実施形態において、ＯＣＴ走査用のマッハツェンダー干渉計システムが示されている。図６Ｂは、マイケルソン（Michelson）干渉計システム用の構成要素を示している。これらの実施形態に対して、プログラマブルフィルタ１０は、整調（tuned）レーザー５０出力を生成するための、レーザー空洞の一部を提供する。可変レーザー５０が出力されると、カプラー３８を通り、サンプルアーム４０および参照アーム４２へと進む。図６Ａにおいて、サンプルアーム４０信号は、サーキュレータ４を通り、サンプルＳを測定するためのプローブ４６へと進む。サンプリングされた信号は、サーキュレータ４４（図６Ａ）を通るとともに、カプラー５８を通り検出器６０へと戻るように導かれる。図６Ｂにおいて、信号は、サンプルアーム４０と参照アーム４２に直接進み、サンプリングされた信号は、カプラー３８を通り検出器６０へと戻るように導かれる。検出器６０は、コモンモードノイズを打ち消すように構成された、一対のバランス型光検出器を使用してもよい。制御論理プロセッサ（制御処理ユニットＣＰＵ）７０は、整調レーザー５０およびそのプログラマブルフィルタ１０、ならびに検出器６０と信号通信状態にあり、検出器６０からの出力を取得して処理する。ＣＰＵ７０もまた、コマンド入力およびＯＣＴ結果表示のためのディスプレイ７２と信号通信状態にある。
【００５４】
図７の模式図は、本開示の代替的実施形態による、整調レーザー５０の構成要素を示す。整調レーザー５０は、半導体光学増幅器（ＳＯＡ）５２のような広帯域ゲイン媒体を有するファイバリングレーザーとして構成されている。２つの光アイソレータＯＩは、後方反射光からのＳＯＡの保護を提供する。ファイバ遅延線（ＦＤＬ）は、レーザーの有効掃引速度を決定する。フィルタ１０は、ファイバリングを接続するのに使用される、入力ファイバと出力ファイバを有する。
【００５５】
図８の模式図は、スーパールミネセントダイオード（ＳＬＤ）のような、広帯域光源５４から波長帯を選択するための、プログラマブルフィルタ１０の使用を示す。ここで、空間光変調器８０は、サーキュレータ１４を通り、広帯域光の成分を反射する。サーキュレータ１４は、別個の光経路に沿って、プログラマブルフィルタ１０へ、およびそこから光を導くのに使用される。
【００５６】
図９の模式図に示されるように、ガルボミラー９４および９６は、協同して、ＯＣＴイメージングに必要なラスター走査を提供する。図示された配設において、ガルボミラー１（９４）は、サンプルに沿って各点８２に対して光の波長を走査して、続いてさらに詳細に記述される、Ｂ−スキャンを提供する、行に沿ったデータを生成する。ガルボミラー２（９６）は、行位置を漸進的に移動させて、追加の行に対して２Ｄラスター走査を行う。各点８２において、空間光変調器８０（図１、４、５）のピクセル毎に、プログラマブルフィルタ１０を使用して与えられた光の全スペクトルが、単一の掃引で迅速に生成されて、結果として得られる信号が、検出器６０において測定される（図６Ａ、６Ｂ）。
【００５７】
ＯＣＴイメージングのための走査シーケンス
図１０Ａおよび１０Ｂの模式図は、本開示のＯＣＴ装置を使用して、口腔内特徴の断層画像を形成するのに使用することのできる走査シーケンスを示す。図１０Ａに示されるシーケンスは、単一のＢ−スキャン画像が生成される方法を示す。ラスター走査９０（図９）は、サンプルＳの上の照明として、選択された光系列を、一点毎に走査する。図１０Ａに示されるような周期的な駆動信号９２が、ラスタースキャナ９０のガルボミラーを駆動して、図１０Ａおよび１０Ｂにおいて水平方向に延びる不連続な点８２として示される、サンプルの各行を横切って延びる、横方向スキャンまたはＢ−スキャンを制御するのに使用される。Ｂ−スキャンのラインまたは行に沿った複数の点８２のそれぞれにおいて、ｚ軸方向においてデータを獲得する、Ａ−スキャンまたは深さスキャンが、選択された波長帯の連続部分を使用して、生成される。図１０Ａは、ラスタースキャナ９０を使用して、対応するマイクロミラー起動、またはその他の空間光変調器ピクセル毎起動によって、波長帯を通過する、直進的に上昇する系列を生成するための駆動信号９２を示している。駆動信号９２の部分である、レトロスキャン信号９３は、スキャンミラーを単に復元して、次のラインのための開始位置に戻し、レトロスキャン信号９３の間はデータが取得されない。
【００５８】
なお、Ｂ−スキャン駆動信号９２は、図９に示されるように、ラスタースキャナ９０用のガルボミラー９４を駆動することに留意すべきである。各増分位置、すなわちＢ−スキャンの行に沿った点８２において、Ａ−スキャンが取得される。Ａ−スキャンデータを獲得するために、同調レーザー５０またはその他のプログラム可能な光源が、プログラマブルフィルタ１０によって制御される、スペクトル系列を掃引する（図１、２Ａ、４、５）。すなわち、プログラマブルフィルタ１０が光源に波長の３０ｎｍ範囲を掃引させる、実施形態において、照明を生成するためのこの系列は、Ｂ−スキャン経路に沿った各点８２において実行される。図１０Ａが示すように、Ａ−スキャン獲得のセットは、各点８２において、すなわち、走査ガルボミラー９４の各位置において実行する。例として、ＤＬＰマイクロミラーデバイスが、空間光変調器８０として使用される場合に、各位置８２においてＡ−スキャンを生成するための２０４８個の測定値が存在し得る。
【００５９】
図１０Ａは、各Ａ−スキャン中に獲得された情報を模式的に示す。ＤＣ信号コンテンツを除去されて示されている、干渉信号８８は、各点８２に対して時間間隔の間中で獲得され、この場合に、信号は掃引に必要な時間間隔の関数であり、獲得される信号は、参照からの光と、干渉計のフィードバックアームからの光を結合することによって（図６Ａ、６Ｂ）、生成されたスペクトル干渉フリンジを示している。フーリエ変換は、各Ａ−スキャンに対する変換Ｔを生成する。Ａ−スキャンに対応する１つの変換信号が、例として図１０Ａに示されている。
【００６０】
上記から、大量のデータが、単一のＢ−スキャン系列において獲得されることが理解できる。このデータを効率的に処理するために、高速フーリエ変換（ＦＦＴ）が使用され、時間ベース信号データを対応する周波数ベースデータに変換し、この周波数ベースデータから、画像コンテンツをより容易に生成することができる。
【００６１】
フーリエドメインＯＣＴにおいて、Ａ−スキャンは、深さ（ｚ軸）解像ＯＣＴ信号のラインを生成する、１ラインのスペクトル獲得に対応する。Ｂ−スキャンデータは、対応する走査されたラインに沿った、行Ｒとして２Ｄ−ＯＣＴ画像を生成する。
【００６２】
Ｃ−スキャン方向においてラスタースキャナ９０獲得を増分させることによって、多数のＢ−スキャンデータを取得するために、ラスター走査が使用される。このことは、図１０Ｂにおいて模式的に表されており、これは、いかにＢ−スキャン画像を表すことができるか、およびいかに３Ｄボリューム情報、すなわち再構築２７４が、Ａ、Ｂ、Ｃ−スキャンデータを使用して生成されるかを示している。
【００６３】
先述のように、各Ａ−スキャン点８２における照明のために使用される、波長または周波数の掃引系列は、通常使用される、上昇または下降する波長系列から修正することができる。任意の波長系列化を、代わりに使用することができる。ＯＣＴのいくつかの特定の実現形態に対して有用となることがある、任意の波長選択の場合には、利用可能な波長の一部分だけが、各掃引の結果として与えられる。任意の波長系列化においては、各波長は、任意の順番で、ランダムに選択して、単一掃引の間にＯＣＴシステムにおいて使用することができる。
【００６４】
図１１の模式図は、口腔内ＯＣＴイメージングシステム６２を形成するプローブ４６および支持構成要素を示す。イメージングエンジン５６は、図６Ａ〜７を参照して記述した、光源、ファイバカプラー、参照アーム、およびＯＣＴ検出器構成要素を含む。一実施形態において、プローブ４はラスタースキャナ９０またはサンプルアームを含むが、任意選択で、イメージングエンジン５６によっては提供されない、その他の要素を包含してもよい。ＣＰＵ７０は、制御論理およびディスプレイ７２を含む。
【００６５】
先述の説明は、ＤＬＰマイクロミラー配列３０を、プログラマブルフィルタ１０から波長帯を選択するのに使用することのできる、１つの有用なタイプの空間光変調器として使用する、ＯＣＴイメージングシステム６２の詳細な説明を行う。しかしながら、その他のタイプの空間光変調器８０も、選択された波長帯の光を反射するのに使用することもできることに留意すべきである。反射性液晶デバイスを、例えば、ＤＬＰマイクロミラー配列３０の代わりに、代替的に使用することもできる。ＤＬＰデバイスではない、その他のタイプのＭＥＭＳ（微小電気機械システムデバイス）マイクロミラー配列を代替的に使用することもできる。
【００６６】
ＯＣＴイメージングの文脈においては、「ｅｎ−ｆａｃｅ」画像は、所与の深さにおいてサンプルの単一層表現を含む、ＯＣＴスキャンからの再構築画像である。例えば、図１０Ｂについて、面２７２は、再構築ＯＣＴボリューム２７４内部の深さレベルを含む。面２７２に沿ってあるサンプ密度のデータを表すことによって取得される画像は、ｅｎ−ｆａｃｅ画像と考えられる。しかしながら、ｅｎ−ｆａｃｅ画像は平面である必要はない。ｅｎ−ｆａｃｅ画像において使用される各ピクセルは、表面から等価距離であるので、ｅｎ−ｆａｃｅ画像は、サンプルの表面輪郭に追従する。各走査点の表面上のピクセルだけを使用して形成された画像は、正当なｅｎ−ｆａｃｅ画像である。
【００６７】
ある種の例示的方法および／または装置実施形態は、圧縮サンプリングを使用する歯科用ＯＣＴスキャン獲得を提供することができる。本開示の実施形態によれば、取得される表面情報の精度を犠牲にすることなく、従来のＯＣＴスキャンパターンに対して速度を改善する、圧縮サンプリング方法を使用する、ＯＣＴスキャン獲得の装置および方法が提供される。信号獲得および分析の技術における当業者には知られているように、圧縮サンプリング技法は、（ｉ）測定データのランダム化されたサンプリングによって特徴づけられるとともに、（ｉｉ）サンプリングされたデータがいくつかのドメインにおいてまばらな表現を有するときに、用いることができる。
【００６８】
図１２Ａの模式図は、Ａ−スキャン間、およびＡ−スキャンの行間に標準的な等間隔を用いる、ＯＣＴサンプリングパターンを示す。イメージングされた表面に沿った点８２におけるＡ−スキャン場所は、行Ｒ間では間隔ｄ１で示されるように、行内部では、間隔ｄ２で示されるように、均等に間隔が空けられており、間隔ｄ２は、点８２間隔ｄ１と等しくても、等しくなくてもよい。この高密度のサンプリングは、近表面特徴の緊密な近似を可能にするが、かなりの数のＡ−スキャンを実行する必要があり、この高密度なデータを記憶して処理するという付随する要件を伴う。
【００６９】
しかしながら、周波数ドメインＯＣＴ走査を使用して利用可能となる、改善された速度にもかかわらず、走査工程は時間を要し、秒当たり数ボリュームのＯＣＴデータフレーム（ｆｐｓ）を提供するだけのこともある。より低速においては、意図しない患者またはプローブの動きが、ＯＣＴスキャンを複雑化し、遅延させる可能性があり、走査結果の品質に悪影響を与える可能性がある。
【００７０】
表面のＯＣＴ走査に必要な時間を低減すること、および秒あたりのフレーム（ｆｐｓ）率を効率的に増大させることへの１つのアプローチは、例えば、バイリニア（bilinear）補間またはトリリニア（trilinear）補間などの補間方法を使用することである。図１２Ｂにおける測定サンプルの小領域に対して模式的に示されたバイリニア補間の使用によって、情報の最小の損失で、スキャン密度における対応する低減が可能になる。本開示の実施形態によれば、サンプルボリュームは、行間と列間（行Ｒにおける点８２間）の間隔ｄ１’およびｄ２’をそれぞれ増大させて、低密度スキャン測定値を使用して再構築される。次いで、足りないＯＣＴデータは、サンプルの各ｅｎ−ｆａａｃｅ表示が生成されるときに、（図１０Ｂに示されるようにｚ方向に）層毎に回復させることができる。すなわち、所与の層ｚｎに対して、スキャン値間のｘ‐値およびｙ‐値は、式２７０によって提供されるもののような計算を使用する、バイリニア補間などの補間方法を使用して、演算することができる。図１２Ｂ拡大Ｅ２に対して、値Ｑ１１、Ｑ１２、Ｑ２１、Ｑ２２は、それぞれ座標（ｘ１，ｙ１）、（ｘ２，ｙ１）、（ｘ１，ｙ２）、および（ｘ２，ｙ２）における実際の測定値である。拡大部分Ｅ２に示された例に対して、層ｚ０におけるＰにおいて足りない値は、図１２Ｃの計算において示されるように、ｆ（ｘ，ｙ，ｚ０）である。
【００７１】
圧縮センシングは、そうでなければ不完全な情報だけを提供することができると思われる、ランダムにサンプリングされたデータからの信号を回復する、例えば電子信号解析に使用される、新しいサンプリングアプローチである。圧縮センシングは、磁気共鳴イメージング（ＭＲＩ）、レーダー、単一ピクセルイメージング、光音響イメージング、およびＯＣＴを含む、信号処理応用の範囲において使用されてきた。圧縮センシングに対して基礎となる理論は、信号が、例えば、フーリエ変換空間、ウェーブレット変換空間、または余弦変換空間のような、正規直交空間／系において、まばらな表現を有する場合には、信号は、ある拘束を条件として、ｌ１ノルムを最小化することによって、ランダムにまばらにサンプリングされた信号から回復することができる：
Ｍｉｎ｜｜ｚ｜｜１、但し｜｜Ａｚ−ｙ｜｜２≦εを条件とし、
ここで、｜｜.｜｜１は、ｌ１ノルムであり、ｚは構築しようとする信号、ｙはまばらなサンプリング、Ａは、ガウス行列（Gaussian matrix）またはベルヌーイ行列（Bernoulli matrix）などのランダムサンプリング行列である。この標準フォーマットに変換することのできるサンプリング問題は、まばら（低密度）なサンプリングと、対応するアルゴリズムとを使用して、制御された誤差で信号ｚを回復することができる。このサンプリング理論は、ナイキストサンプリング理論（Nyquist sampling theory）の基本原理に従う、従来の、信号獲得と再構築の直感的ルールに反していると思われる。圧縮サンプリングの可能性は、真の信号が、好適な正規直交基底のまばらな展開式（sparse expansion）によって、うまく表現できるということに依拠している。圧縮センシングおよび圧縮表現は、アンダーサンプリングされた（under-sampled）信号の画像処理に用いることが可能であり；同様な洞察が、よく知られているＪＰＥＧ（Joint Photographic Experts Group）、ＪＰＥＧ２０００、および関係する画像データフォーマットなどの、画像圧縮の多数の形式の背後にある。
【００７２】
ＯＣＴボリューム（ｘ，ｙ，ｋ）は、ここでｘおよびｙは空間プロービング位置であり、ｋは波数であって、空間次元ｘ、ｙに対するウェーブレット空間、およびｋに対するフーリエ変換空間において、まばらな表現を有する。すなわち、圧縮サンプリングは、ＯＣＴイメージングに応用可能である。ＯＣＴセンシングに応用される場合には、圧縮サンプリング／プロービングは、ランダム化された方法でなくてはならず、１次元、２次元または３次元において応用可能である。二次的に（quadratically）拘束された、ｌ１ノルム最小化問題を解くことによって、高度に忠実な画像を、効率的に再構築することができる。これによって、データ獲得時間を実質的に低減することが可能であり、これは口腔内ＯＣＴ走査に対して望ましい。
【００７３】
しかしながら、真にランダムなサンプリング位置は、少なくとも、部分的に、ハードウェア上の配慮から、ＯＣＴ走査において実際的ではない。代わりに、疑似乱数系列（pseudo random sequence）が使用される。まばら（散発的）なサンプリング、より適切な呼び名である圧縮サンプリングの可能性は、真の信号は、それがあるベクトルドメインについてまばらであると考えられる限り、好適な基底のまばらな展開式によってうまく表現できるということに依拠している。このことは、より従来的な画像表現方式に対して必要とされる記憶の数分の１で、相当な大きさの画像データの表現と記憶を可能にする。本明細書において使用されるＯＣＴ走査に対して、圧縮センシングを使用して、近似されたＯＣＴスキャン信号を回復することができる。
【００７４】
図１３の模式図は、ここでもｘ‐ｙ面から見て、本発明の一実施形態による圧縮センシング再構築で使用することのできる、スキャンサンプリング配設を示す。ここで、行間隔ｄ１’と、各行Ｒに沿った点８２に対応するＡ−スキャンのサンプル間間隔ｄ２’のいずれか、または両方をランダムに分布させて、間隔ｄ１’およびｄ２’を図１２Ａに示される密な分布におけるよりもさらに遠ざけることを可能にするだけでなく、行間および行内において、それぞれ、ｄ１’およびｄ２’のいずれか、または両方に対して間隔距離を変化させることを可能にする。すなわち、例えば、行Ｒに沿った点８２は、不均等の間隔またはランダム化された間隔を有し、それによっていくつかの点８２を、他の点よりも、隣接する点８２により近接させることができる。同様に、いくつかの行Ｒを、他の行よりも、隣接する行からより高密度な間隔にすることができる。
【００７５】
図１３は、２つの空間次元ｘおよびｙにおけるランダム化されたサンプリングＯＣＴを表す。ここで、不均等なサンプル間隔を有する配設において、ｘスキャン位置は、第１の疑似乱数系列から生成される。次いで、ｙスキャン位置が、第２の疑似乱数系列から求められる。２Ｄサンプリング格子は、ｘおよびｙ系列をインターリーブすることによって求めることができる。サンプリングタプル（ｘｉ，ｙｉ）は、ｘランダムサンプリング列｛ｘ１，ｘ２，…ｘＷ｝のｘｉ成分、およびｙランダムサンプリング列｛ｙ１，ｙ２，…ｙＤ｝のｙｉ成分から作成される。これによって、ＯＣＴ再構築を生成するために取得する必要のある、サンプル数を低減するのを助けることのできる、ランダム化された、または疑似ランダムな、間隔配設が形成される。
【００７６】
図１４の論理フロー図は、図１３を参照して記述されたサンプリング配設を使用するなど、空間的にランダムサンプリングされたデータに対する、サンプリングされたボリュームの再構築のシーケンスを示す。獲得ステップ３１０は、各行におけるＡ−スキャンに対して高密度な深さ値Ｎ、各行Ｂに対してランダム化されてサブサンプリングされた行幅Ｗ、およびランダム化されサブサンプリングされたＤ行を有する、ＯＣＴスキャンに対するスペクトルデータ結果を取得して、先の図に表されたＡ、Ｂ、Ｃ次元データを提供する。次いで、再構築ステップ３１２は、各Ａ−スキャンから深さ解像された断層像信号を生成するために、各Ａ−スキャンデータを使用して、従来式のＯＣＴ再構築を実施する。次いで、圧縮センシングベースの復元３１８は、データを充填して、Ｓ行の断層像データ点を有するＭ行幅を与えて、ＢおよびＣ次元について最高解像度を与え、この場合にＭ＞Ｗ、およびＳ＞Ｄである。圧縮センシングベースの復元ステップ３１８は、反復ソフト閾設定法（iterative soft thresholding method）などの、当業者には周知の方法を使用して非線形最適化を実行することによって達成できる。任意選択のボリューム処理ステップ３２０は、フィルタリング、セグメント化、およびクロッピング（cropping）を行うことができる。次いで、ボリュームレンダリングステップ３３０は、生成された再構築物の表示を可能にする。再構築されたボリュームデータは、ボリューム処理および／またはレンダリングを行って、または行うことなく記憶して伝送することができる。
【００７７】
図１３および１４に関して記述した実施形態は、２つの空間次元における、圧縮センシングと再構築を提供する。イメージング構成および要件に応じて、１つの空間次元においてランダム化されたサンプリングを実施し、他方の空間次元において高密度なサンプリングを実施するのが好ましい。そのような場合には、圧縮センシングおよび再構築は、上述したのと同じ方法で、１つの空間次元において正しく行うことができる。
【００７８】
先に注記したように、圧縮センシング（ＣＳ）技法は、（ｉ）ある種のランダム化されたサンプリング、および（ｉｉ）信号表現についてのまばら性（sparsity）を必要とする。信号が、いくつかの非ゼロ係数だけを使用して何らかのドメインにおいて表現できる限り、信号は、「まばらである」と考えられる。スペクトルドメインＯＣＴに対して、深さ解像度のためのスペクトルデータは、そのフーリエドメインにおいてまばらに表すことができるのに対して、空間データは、ウェーブレットドメインなどのその他のドメインにおいて、より便宜的にまばらな状態で表すことができる。ランダム化されたサンプリングとまばらな表現に対する要件を満たすように構成することができるので、Ａ−スキャンのＯＣＴ再構築は、圧縮センシング技法の使用も可能にする。
【００７９】
本開示の実施形態は、３次元：２つの空間（サンプル間隔ｘ、ｙ）次元および、それぞれの走査点８２におけるＡ−スキャンデータを獲得する、スペクトル周波数（波長）の系列を取得するための、１つのスペクトル（波長）次元、におけるデータに対して圧縮センシングを使用することができる。Ａ−スキャンデータのための深さ方向における圧縮センシングは、フーリエドメインにおけるまばらなデータ表現を用いることができる。空間サンプリングに対する圧縮センシングは、例えば、ウェーブレットドメインにおける、まばらなデータ表現を用いることができる。
【００８０】
空間光変調器８０およびプログラマブルフィルタ１０（図１〜５）を参照して先述したように、ＯＣＴ走査用に使用される光源は、任意の波長パターンを与える命令でプログラムすることができる。すなわち、ＯＣＴセンシングに対して、連続的に増大または減少する波数（波長）を有する、全掃引源系列は必要ではない。代わりに、不連続の、ランダム化された周波数の系列を、ＯＣＴスキャンに使用して、圧縮センシング技法を使用して次いで好適に処理することのできる、まばらに表現された測定データを取得することができる。
【００８１】
図１５Ａおよび１５Ｂは、ＯＣＴ獲得のためのランダム化されたまばらなスペクトルコンテンツの使用を示す、模式図である。全スペクトル範囲を使用する、単一のＡ−スキャンにおいて、Ｎピクセルを、取得することができる。全範囲を使用する代わりに、不連続の、ランダム化された一連の周波数（波長）がＡ−スキャンに使用され、獲得されるピクセルの数を低減する。波長λを信号強度のための任意の電力単位にマッピングする、図１５Ａのグラフは、掃引源ＯＣＴシステムにおいて単一のＡ−スキャンにおいて使用される、不連続で、疑似ランダム化された周波数（波長）のより小さな組を表す。同じ組の周波数が、各Ａ−スキャンにおいて使用される。スペクトルドメインＯＣＴシステムにおいて、ランダム化されたスペクトルサンプリングは、図１５Ｂに示されるように、検出器配列上の疑似ランダムに選択されたピクセルからの信号を取得することによって達成される。
【００８２】
図１５Ｃの論理フロー図は、図１５Ａおよび１５Ｂを参照して記述されたサンプリング配設を使用するなど、スペクトル次元についてのみランダムにサンプリングされて、まばらに表現された、サンプリングされたデータのボリュームの再構築のためのシーケンスを示す。獲得ステップ４０８は、各行におけるＡ−スキャンに対するランダム化され、サブサンプリングされた深さ値Ｌ、各行Ｂに対する高密度の行幅Ｍ、およびＳの高密度行で、ＯＣＴスキャンに対するスペクトルデータ結果を取得し、先述の図に表されたＡ、Ｂ、Ｃ次元データを提供する。圧縮センシングベース再構築４１４は、反復共役勾配法（iterative conjugate gradients method）などの当業者には周知の方法を使用して、深さ次元におけるデータを充填して、ＡラインにつきＮ深さ値を与える。このステップは、各Ａ−スキャンから深さ解像断層像信号を生成して、走査された口腔内特徴またはその他の被験体の最高解像度（Ｎ×Ｍ×Ｓ）ＯＣＴ画像データボリュームを与え、この場合にＮ＞Ｌである。任意選択のボリューム処理ステップ３２０は、フィルタリング、セグメント化、およびクロッピングを提供することができる。次いで、ボリュームレンダリングステップ３３０が、歯またはその他の口腔内特徴に対する再構築されたボリュームの２次元画像をレンダリングするなど、生成された再構築物の記憶、伝送、および表示を可能にする。
【００８３】
図１６の論理フロー図は、ｘ、ｙ（行、列）空間次元の両方において、またランダムにサンプリングされたスペクトルスキャンコンテンツを使用した第３の追加の次元を含む、ランダム化または疑似ランダム化された空間的にサンプリングされたデータに対して、サンプリングされたボリュームの再構築のシーケンスを示す。獲得ステップ３０８は、Ａ−スキャン深さに対するスペクトルデータ点のランダム化されサブサンプリングされた数Ｌ、Ａ−スキャン行単位に対するランダム化されサブサンプリングされた数Ｗ、およびランダム化されサブサンプリングされた数Ｄ行として、ＯＣＴスキャンに対するスペクトルデータ結果を取得して、先述の図に表されたＡ、Ｂ、Ｃ次元データを提供する。圧縮センシングベースの再構築ステップ３１４は、各深さプロフィールにおけるデータを充填し、図１５Ｃを参照して記述したように、Ａ次元におけるＮ最高解像度深さ値を提供する。これによって、深さ解像断層像信号のＮ×Ｗ×Ｄボリュームが生成される。次いで、別の圧縮センシングベースの復元ステップ３１８が実行されて、ＢおよびＣ次元におけるデータを充填し、最高解像度（Ｎ×Ｍ×Ｓ）ＯＣＴ画像ボリュームを提供する。これによって、任意選択のボリューム処理ステップ３２０においてさらに調整することのできる、ＯＣＴデータの組が拡張される。次いで、ボリュームレンダリングステップ３３０は、生成された再構築物の記憶、伝送、および表示を可能にする。再構築された画像ボリュームのデータ密度は、獲得されたＯＣＴデータのデータ密度よりも大きい、この場合に、Ｎ＞Ｌ、Ｍ＞Ｗ、およびＳ＞Ｄである。
【００８４】
代替的に、ＢおよびＣの空間次元における圧縮センシングベースの復元ステップ３１８は、データ獲得ステップ３０８の後に実施して、最初にＬ×Ｍ×Ｓボリュームを獲得して、次いで、Ａ次元における圧縮センシングベースの再構築ステップ３１４が続き、最高解像度（Ｎ×Ｍ×Ｓ）ＯＣＴ画像ボリュームを取得することができる。
【００８５】
図１６は、１つのスペクトル次元と２つの空間次元において、ランダムにサンプリングされたデータに対して、サンプリングされたボリュームの再構築に関して記述される。ＯＣＴ画像ボリューム再構築は、スペクトル次元と１つの空間次元とにおいて、まばらにサンプリングされたデータに対して、同様に行うことができる。
【００８６】
図１７は、スペクトルドメイン（ＳＤ）ＯＣＴ装置１４０における分光計１３０を使用する圧縮サンプリング用のＯＣＴ装置を示す模式図である。広帯域源１２４は、光を、カプラー３８を通り、口腔内特徴またはその他の被験体のサンプリングされたスキャンを得るためのプローブ４６に導く。プローブ４６の部分である走査構成要素が、光を、広帯域照明源１２４から口腔内特徴に沿った複数の点に向かって導き、Ｂ−スキャンとＣ−スキャンとを実行する。広帯域源１２４からの低コヒーレンス光が、カプラー３８を通り、サンプルアーム４０上のプローブ４６と、参照アーム４２へと導かれる。生成される干渉パターンが、分光計１３０において、一連のランダムに分布する周波数に対して測定される。光は、光の分散をもたらす格子のような、光分散光学要素２０を通過して進む。レンズＬ２光学系は、次いで、この光を検出配列１３２へ導く。検出配列１３２は、選択された波長または波数を検知する、分光計におけるＣＣＤ（charge-coupled device）配列またはその他のセンサとすることができる。プロセッサ１３６は、広帯域源１２４、分光計１３０およびスキャナと信号通信しており、次いで、ランダムまたは疑似ランダムサンプリング、圧縮センシング演算、画像再構築、および表示のための、論理および制御回路を提供する。掃引源（ＳＳ）ＯＣＴシステムが使用される場合には、光源は、図６Ａおよび６Ｂに記述されるように、分光計の代わりに使用される光検出器６０を備える、周波数掃引同調レーザー５０とすることができる。
【００８７】
まばらにサンプリングされたデータを処理するためのアルゴリズムおよび有用物は、信号処理技術における当業者には周知である。
【００８８】
本発明の実施形態と整合して、コンピュータプログラムは、記憶された命令を使用し、これらの命令は、電子メモリからアクセスされる画像データに対して作用する。画像処理技術における当業者には理解できるように、本開示の実施形態におけるイメージングシステムを動作させるためのコンピュータプログラムは、パーソナルコンピュータまたはワークステーションなどの、本明細書に記載されるようなＣＰＵ７０として動作する、好適な、汎用コンピュータシステムによって利用することができる。しかしながら、例えば、ネットワーク化されたプロセッサの配設を含む、その他多くのタイプのコンピュータシステムを、本発明のコンピュータプログラムを実行するのに使用することができる。本発明の方法を実施するためのコンピュータプログラムは、コンピュータ可読記憶媒体に記憶してもよい。この媒体は、例えば、ハードドライブまたはリムーバブルデバイスまたは磁気テープのような磁気ディスクなどの磁気記憶媒体；光学ディスク、光学テープ、またはマシン可読光学エンコーディングなどの光学記憶媒体；ランダムアクセスメモリ（ＲＡＭ）、または読取り専用メモリ（ＲＯＭ）などのソリッドステート電子記憶デバイス；またはコンピュータプログラムを記憶するために用いられる任意のその他の物理デバイスまたは媒体を含めてもよい。本開示の方法を実施するためのコンピュータプログラムはまた、インターネットまたはその他のネットワークまたは通信媒体を介して画像プロセッサに接続されている、コンピュータ可読記憶媒体に記憶してもよい。当業者は、そのようなコンピュータプログラムプロダクトの均等物は、ハードウェアで構築してもよいことを、さらに容易に認識するであろう。
【００８９】
なお、本発明の文脈においては「コンピュータアクセス可能メモリ」と等価である、「メモリ」という用語は、画像データを記憶してそれに対して動作させるのに使用されて、例えば、データベースを含む、コンピュータシステムにアクセス可能である、一時的、またはより耐久性のあるデータ記憶ワークスペースを意味することができることに留意すべきである。メモリは、例えば、磁気記憶または光学記憶などの長期記憶媒体を使用して、不揮発性とすることもできる。代替的に、メモリは、マイクロプロセッサまたはその他の制御ロジックプロセッサデバイスによる、一時的なバッファまたはワークスペースとして使用される、ランダムアクセスメモリ（ＲＡＭ）などの、電子回路を使用して、より揮発性とすることも可能である。例えば、表示データは、通常、表示デバイスに直接関係するとともに、表示データを提供する必要に応じて、周期的に更新される、一時的記憶バッファに記憶される。この一時的記憶バッファはまた、その用語が本開示において使用されるとき、一種のメモリとも考えられる。メモリはまた、計算およびその他の処理の中間および最終の結果を実行して、記憶するための、データワークスペースとしても使用される。コンピュータアクセス可能メモリは、揮発性、不揮発性、または揮発タイプと不揮発タイプのハイブリッド組合せとすることができる。
【００９０】
本開示のコンピュータプログラムプロダクトは、周知である、様々な画像操作アルゴリズムおよびプロセスを使用してもよいことを理解されたい。本開示のコンピュータプログラムプロダクト実施形態は、実現に対して有用である、本明細書に具体的に示されていないか、または記述されていない、アルゴリズムおよびプロセスを具現化してもよいことをさらに理解すべきである。そのようなアルゴリズムおよびプロセスには、画像処理技術の専門スキルの範囲である、従来型の有用物を含めてもよい。そのようなアルゴリズムおよびシステムの追加の観点、ならびに画像を生成し、その他の方法で処理するため、または本開示のコンピュータプログラムプロダクトと協働するためのハードウェアおよび／またはソフトウェアについて、本明細書には具体的な図示または記述はなく、当該技術において知られているそのようなアルゴリズム、システム、ハードウェア、構成要素および要素から選択してもよい。
【００９１】
本願による、ある種の例示的な方法および／または装置実施形態は、歯科用仮想モデルの基部の仮想定義を提供することができる。本願による例示的な実施形態には、本明細書で記載される様々な特徴を（個別に、または組合せで）含めることができる。
【００９２】
本発明を、１つまたは複数の実現形態について説明してきたが、説明した例に対して、添付の特許請求の範囲の趣旨と範囲から逸脱することなく、変形および／または修正を行うことができる。さらに、本発明の特定の特徴を、いくつかの実現形態／実施形態の１つだけについて開示することができたが、そのような特徴は、任意所与の、または特定の機能に対して望ましく、有利であり得るように、他の実現形態／実施形態の１つまたは複数のその他の特徴と組み合わせることができる。「少なくとも１つの」という用語は、列挙された項目の１つまたは複数を選択することができることを意味して使用される。「約」という用語は、変更が、例示された実施形態に対するプロセスまたは構造の不適合を生じない限り、列挙された値を、いくぶん変更することができることを示す。最後に、「例示的」とは、その記述が理想であることを意味するのではなく、それを例として使用することを示すものである。本発明のその他の実施形態は、仕様の考察および本明細書に開示された発明の実施から、当業者には明白になるであろう。仕様および例は、例示としてのみ考慮され、本発明の真の範囲と趣旨は、少なくとも以下の特許請求の範囲によって示されることを意図している。
【図１】
2019518936.tif 000004
【図２Ａ】
2019518936.tif 000005
【図２Ｂ】
2019518936.tif 000006
【図３】
2019518936.tif 000007
【図４】
2019518936.tif 000008
【図５】
2019518936.tif 000009
【図６Ａ】
2019518936.tif 000010
【図６Ｂ】
2019518936.tif 000011
【図７】
2019518936.tif 000012
【図８】
2019518936.tif 000013
【図９】
2019518936.tif 000014
【図１０Ａ】
2019518936.tif 000015
【図１０Ｂ】
2019518936.tif 000016
【図１１】
2019518936.tif 000017
【図１２Ａ】
2019518936.tif 000018
【図１２Ｂ】
2019518936.tif 000019
【図１２Ｃ】
2019518936.tif 000020
【図１３】
2019518936.tif 000021
【図１４】
2019518936.tif 000022
【図１５Ａ】
2019518936.tif 000023
【図１５Ｂ】
2019518936.tif 000024
【図１５Ｃ】
2019518936.tif 000025
【図１６】
2019518936.tif 000026
【図１７】
2019518936.tif 000027
【手続補正書】
【提出日】令和1年5月13日(2019.5.13)
【手続補正１】
【補正対象書類名】特許請求の範囲
【補正対象項目名】全文
【補正方法】変更
【補正の内容】
【特許請求の範囲】
【請求項１】
口腔内特徴に対して、３次元における光干渉断層法（ＯＣＴ）データを取得するステップであって、少なくとも１つの次元が疑似ランダムまたはランダムにサンプリングされるステップと、
圧縮センシングを使用して前記口腔内特徴の画像ボリュームを再構築するステップであって、前記再構築された画像ボリュームのデータ密度が、前記少なくとも１つの次元における、または対応する変換による、前記取得されたＯＣＴデータのデータ密度よりも大きい、ステップと、
表示のために前記再構築された画像ボリュームをレンダリングするステップと
を含むことを特徴とする画像データを獲得する方法。
【請求項２】
請求項１に記載の方法であって、圧縮センシングを使用することが、前記少なくとも１つの次元において、前記取得されたＯＣＴデータに対する最小化演算を実施することを含むことを特徴とする方法。
【請求項３】
請求項１に記載の方法であって、ＯＣＴ再構築を実施することをさらに含むことを特徴とする方法。
【請求項４】
請求項１に記載の方法であって、前記再構築された画像ボリュームをセグメント化すること、および前記再構築されたボリュームの２次元画像をレンダリングすることをさらに含むことを特徴とする方法。
【請求項５】
口腔内ボリューム画像データを獲得する方法であって、
サンプルの表面を横切る、いくつかの行の各々の行に沿って、複数の光学干渉断層法（ＯＣＴ）スキャンを取得するステップであって、前記ＯＣＴスキャン間の距離が前記行に沿ってランダムに、または疑似ランダムに変化する、ステップと、
圧縮センシングを使用して前記口腔内ボリュームを再構築するステップであって、前記再構築された画像ボリュームのデータ密度が、前記行に沿った前記取得されたＯＣＴスキャンのデータ密度よりも大きい、ステップと、
表示のために前記再構築された画像ボリュームをレンダリングするステップと
を含むことを特徴とする方法。
【請求項６】
請求項５に記載の方法であって、行間の間隔も前記表面を横切ってランダムまたは疑似ランダムに変化し、前記再構築された画像ボリュームの行数も、前記取得されたＯＣＴスキャンの行数よりも大きいことを特徴とする方法。
【請求項７】
サンプルの表面の各々の行を、
前記行に沿った、いくつかのスキャン位置のそれぞれにおいて、複数の光周波数または光波長の組からなるＯＣＴスキャンを取得することであって、前記光周波数または光波長がランダムまたは疑似ランダムに間隔を空けられる、取得することと、
圧縮センシングを使用して、それぞれの取得されたＯＣＴスキャンを処理することであって、前記処理されたＯＣＴスキャンのデータ濃度が、前記取得されたＯＣＴスキャンのデータ濃度よりも大きい、処理することと、
前記処理されたＯＣＴスキャンを組み合わせて、口腔内ボリュームを生成することと、
表示のために前記生成された口腔内ボリュームをレンダリングすることと
によって走査するステップ
を含むことを特徴とする口腔内ボリューム画像データを獲得する方法。
【請求項８】
請求項７に記載の方法であって、前記ランダム化または疑似ランダム化された周波数または波長の組が、分光計を使用して選択されることを特徴とする方法。
【請求項９】
請求項７に記載の方法であって、前記ランダム化または疑似ランダム化された周波数または波長の組が周波数掃引光源から生成されることを特徴とする方法。
【請求項１０】
請求項７に記載の方法であって、前記取得されたＯＣＴスキャン間の距離も前記行に沿ってランダムまたは疑似ランダムに変化し、前記方法が、
圧縮センシングを使用して前記生成された口腔内ボリュームを処理して、前記口腔内ボリュームを再構築することをさらに含み、前記再構築された口腔内ボリュームのデータ密度が、前記行に沿った前記取得されたＯＣＴスキャンのデータ密度よりも大きいことを特徴とする方法。
【国際調査報告】
2019518936.tif 000028
2019518936.tif 000029
2019518936.tif 000030
2019518936.tif 000031
2019518936.tif 000032